(57)【要約】      （修正有）【課題】簡単な操作によって水密状に固定することができる、埋設配管またはケーブル配管の止水固定装置を提供する。【解決手段】２枚の分割環状フランジ２で分割環状弾性体を挟持し、該分割環状フランジ間に挿通されたボルトを、ボックスレンチを用いて締めつけることによって該環状弾性体を圧縮変形させて管路３またはケーブルをコンクリート壁１内の鞘管またはコンクリート壁貫通孔内面に固定する。分割環状フランジが金属または強化プラスチックで形成されており、分割環状フランジ間に挿通された複数のボルトを締めつけることにより圧縮変形される該環状弾性体の外周または内周の膨出部が鞘管内面またはコンクリート壁貫通孔内面及びケーブルに押圧され、また、該環状弾性体の外周の膨出部が鞘管又はコンクリート壁貫通孔に押圧されて固定されて保持され、鞘管内面又はコンクリート壁貫通孔内面とケーブルとの間隙を完全に水密状態に保持することができる。【選択図】図１
2016099003.tif 000002
【特許請求の範囲】
【請求項１】
コンクリート壁貫通孔内に挿通される埋設配管またはケーブル配管の止水固定構造において、２枚の分割環状フランジで分割環状弾性体を挟持し、分割環状フランジ間に挿通されたボルトをレンチを用いて締めつけることによって分割環状弾性体を圧縮変形させ、分割環状弾性体の外周及び内周を膨出させ、該埋設配管またはケーブル配管をコンクリート壁貫通孔内面に水密状態に固定することを特徴とする埋設配管またはケーブル配管止水固定装置。
【請求項２】
分割環状フランジ及び分割環状弾性体の分割面をずらして既存の埋設配管又はケーブル配管に装着できるように構成したことを特徴とする請求項１記載の埋設配管またはケーブル配管止水固定装置。
【請求項３】
マンホール又は縦坑コンクリート壁に形成されるコンクリート壁貫通孔に、埋設配管またはケーブル配管を保持する分割環状弾性体を挿通して押圧する際、該分割環状弾性体の周縁部がコンクリート壁貫通孔の内面に三次元状に変形して押圧され、水密状に保持されることを特徴とする請求項１記載の埋設配管またはケーブル配管止水固定装置。
【請求項４】
２枚の分割環状フランジが金属または強化プラスチックで形成されており、該分割環状フランジで挟持される単数又は複数の分割環状弾性体は、合成ゴム、半加硫ゴム、エラストマー材又は水膨張性ゴムからなる積層体で構成されていることを特徴とする請求項１記載の埋設配管またはケーブル配管止水固定装置。
【請求項５】
埋設配管またはケーブル配管止水固定装置に付設される電気防食手段が、コンクリート壁内に犠牲陽極プレートを固定し、該犠牲陽極プレートと埋設配管とを通電用リード線で接続することにより埋設配管との電位差を利用して防食電流を発生させる流電陽極方式、及び、陽極に非消耗型の難溶性電極を用い、商用電源から供給される交流電流を直流電源装置にて直流電流に変換し、防食電流を発生させる外部電源方式であることを特徴とする電気防食手段を具備せる埋設配管またはケーブル配管止水固定装置。
【発明の詳細な説明】
【技術分野】
【０００１】  本発明は直接コンクリート壁貫通孔に挿通される埋設配管またはケーブル配管の止水固定装置に関し、または、電気防食手段を具備せる埋設配管またはケーブル配管の止水固定装置に関する。
【背景技術】
【０００２】  従来、ガス管、上下水道管、電線管、光ケーブル、通信ケーブル等の配管がコンクリート壁等に埋め込まれる場合に管路と鞘管との止水固定装置では、管路と鞘管との間に装着される水膨張性ゴムやエラストマー材または非水膨張性ゴムやエラストマー材等よりなる環状の止水パッキン材が一体成形されているものがあった。【０００３】  しかしながら、現状では埋設配管の地下水の流入等に対処する止水固定装置が種々発明されているが、更に埋設配管のマクロセル腐食を有効に防止する方法が求められている。
【先行技術文献】
【０００４】
【特許文献１】  特開２００５−２８２７６３号公報
【特許文献２】  特公平７−１１４５３０号公報
【発明の概要】
【０００５】
【発明が解決しようとする課題】
【０００６】  前記せる特開２００５−２８２７６３号公報では、管路と鞘管との間に装着される水膨張性ゴムやエラストマー材または非水膨張性ゴムやエラストマー材等よりなる環状の止水パッキン材が一体成形されているものであった【０００７】  そのため、装着の作業性が悪く、材料強度も弱く、水圧に負けて鞘管内に流れてしまい止水効果がなく、接着面の汚れや残骸がのこるものであった。【０００８】  また、前記せる特公平７−１１４５３０号公報では、管路内に挿通する線材における管路口部分の外周面に、半加硫ゴムを巻き付けるとともに、その半加硫ゴムの両端側にそれぞれリング状のパッキンを取付けて、管路内におけるパッキン間を閉塞し、その状態で、両パッキン、半加硫ゴムおよび管路の壁面とで囲われる空間に管路取水材形成材料を充填し硬化させることにより、上記半加硫ゴムを線材に密着させ、管路の止水する構成であった。【０００９】  この場合も、半加硫ゴムの巻き付けや管路取水材形成材料を充填し硬化等の作業性が悪く、材料強度も弱く、水圧に負けて鞘管内に流れてしまい、止水効果がなく、接着面の汚れや残骸がのこるものであった。【００１０】  また、埋設配管の地下水の流入等に対処する止水固定装置が種々発明されているが、更に埋設配管のマクロセル腐食を有効に防止する方法が求められている。
【課題を解決するための手段】
【００１１】  前記せる課題を解決するために、本発明は以下のように構成されている。【００１２】  コンクリート壁貫通孔内に挿通される埋設配管またはケーブル配管の止水固定構造において、２枚の分割環状フランジで分割環状弾性体を挟持し、分割環状フランジ間に挿通されたボルトをレンチを用いて締めつけることによって分割環状弾性体を圧縮変形させ、分割環状弾性体の外周及び内周を膨出させ、該埋設配管またはケーブル配管をコンクリート壁貫通孔内面に水密状態に固定することを特徴とし、分割環状フランジ及び分割環状弾性体の分割面をずらして既存の埋設配管又はケーブル配管に装着できるように構成したことを特徴とし、マンホール又は縦坑コンクリート壁に形成されるコンクリート壁貫通孔に、埋設配管またはケーブル配管を保持する分割環状弾性体を挿通して押圧する際、該分割環状弾性体の周縁部がコンクリート壁貫通孔の内面に三次元状に変形して押圧され、水密状に保持されることを特徴とし、２枚の分割環状フランジが金属または強化プラスチックで形成されており、該分割環状フランジで挟持される単数又は複数の分割環状弾性体は、合成ゴム、半加硫ゴム、エラストマー材又は水膨張性ゴムからなる積層体で構成されていることを特徴とし、埋設配管またはケーブル配管止水固定装置に付設される電気防食手段が、コンクリート壁内に犠牲陽極プレートを固定し、該犠牲陽極プレートと埋設配管とを通電用リード線で接続することにより埋設配管との電位差を利用して防食電流を発生させる流電陽極方式、及び、陽極に非消耗型の難溶性電極を用い、商用電源から供給される交流電流を直流電源装置にて直流電流に変換し、防食電流を発生させる外部電源方式であることを特徴とする電気防食手段を具備せる埋設配管またはケーブル配管止水固定装置である。
【発明の効果】
【００１３】  本発明の埋設配管またはケーブル配管の止水固定装置又は電気防食手段を具備せる埋設配管またはケーブル配管の止水固定装置に於いては、２枚の分割環状フランジで挟持された分割環状弾性体にケーブルを挿通した状態で、コンクリート壁に固定された鞘管内へ仮止めし、次いで、環状フランジ間に挿通された複数のボルトをレンチを用いて順次締めつける簡単な操作によって、分割環状弾性体を圧縮変形させて鞘管やコンクリート壁貫通孔に水密状に固定することができる。【００１４】  また、単数又は複数の分割環状弾性体は、合成ゴム、半加硫ゴム、ブチルゴム、エラストマー材又は水膨張性ゴムからなる積層体で構成されているので、分割環状フランジ間に挿通された複数のボルトを順次締めつけることにより圧縮変形される環状弾性体の合成ゴム、半加硫ゴム、ブチルゴム、エラストマー材又は水膨張性ゴムが、鞘管内面又はコンクリート壁貫通口内面に押圧され、環状弾性体の内周の環状ブチルゴムが管路またはケーブルに押圧されて固定されると共に、完全に水密状態に保持することができる。【００１５】  また、マンホール又は縦坑コンクリート壁に形成されるコンクリート壁貫通孔に、ケーブルを保持する分割環状弾性体を挿通して押圧する際は、該分割環状弾性体の周縁部がコンクリート壁貫通孔の内面に三次元状に変形されて水密状に保持されるので、三次元状のシーリング材としての用途が生じている。【００１６】  更に、本発明の電気防食手段を具備せる埋設配管またはケーブル配管の止水固定装置に於いては電気防食手段が具備されており、コンクリート壁内に犠牲陽極プレートを固定し、該犠牲陽極プレートと管路とを通電用リード線で接続することにより管路との電位差を利用して防食電流を発生させる第１の流電陽極方式、及び、陽極に非消耗型の難溶性電極を用い、商用電源から供給される交流電流を直流電源装置にて直流電流に変換し、防食電流を発生させる第２の外部電源方式であり、マクロセル防食効果が得られている。
【図面の簡単な説明】
【００１７】
【図１】  コンクリート壁貫通孔に埋設配管を挿通した斜視図である。
【図２】  コンクリート壁貫通孔内の止水固定装置の分解斜視図である。
【図３】  図１の拡大水平断面図である。
【図４】  図１の拡大水平断面図である。
【図５】  コンクリート壁貫通孔に埋設配管を挿通した斜視図である。
【図６】  図１の拡大縦断面図である。
【図７】  図１の拡大縦断面図である。
【発明を実施するための形態】
【００１８】  本発明は、図１乃至図４に示すように、電気防食手段を具備し、直接コンクリート壁貫通孔５に挿通される埋設配管またはケーブル配管３の止水固定装置に関する。
【００１９】  コンクリート壁貫通孔５内に挿通される埋設配管またはケーブル配管３の止水固定構造において、２枚の分割環状フランジ２で、単数又は複数の分割環状弾性体４ａ、４ｂ、４ｃを挟持し、分割環状フランジ２間に挿通されたボルト６をレンチを用いて締めつけることによって分割環状弾性体４ａ、４ｂ、４ｃを圧縮変形させ、分割環状弾性体４ａ、４ｂ、４ｃの外周及び内周を膨出させ、該埋設配管またはケーブル配管３をコンクリート壁貫通孔５内面に水密状態に固定することができ、更に下記せるような電気防食手段を具備することができる。
【００２０】  図２に示すように分割環状フランジ２の分割面２１及び分割環状弾性体４ａ、４ｂ、４ｃの分割面４１をずらして既存の埋設配管又はケーブル配管３に装着することができる。
【００２１】  図３に示すように、電気防食手段は、コンクリート壁１内に犠牲陽極プレート７をアンカーボルト１４にて固定し、該犠牲陽極プレート７と埋設配管３とを通電用ワッシャー８を介して通電用リード線９で接続することにより埋設配管またはケーブル配管３との電位差を利用して防食電流を発生させる流電陽極方式である。
【００２２】  または、図４に示すように、陽極に非消耗型の難溶性電極１２を用い、商用電源ＡＣから供給される交流電流を直流電源装置１０にて直流電流に変換し、防食電流１３を発生させる外部電源方式である。
【００２３】  該外部電源方式は、埋設配管またはケーブル配管３より通電用ワッシャー８を介して通電用リード線９によって直流電源装置１０に接続し、直流電源装置１０より通電用リード線１１を介して難溶性電極１２より防食電流を送って埋設配管またはケーブル配管３の電位を防食電位まで下げて防食する方式である。
【００２４】  図３乃至図４に示すように、２枚の分割環状フランジ２が金属または強化プラスチックで形成されており、該分割環状フランジ２で挟持される分割環状弾性体４ａ、４ｂ、４ｃは単数又は複数の、合成ゴム、半加硫ゴム、エラストマー材又は水膨張性ゴムからなる積層体で構成されている。
【００２５】また、分割環状フランジ２にはボルト挿通孔２２が設けられており、分割環状フランジ２で挟持される分割環状弾性体４ａ、４ｂ、４ｃにはそれぞれボルト挿通孔４２が設けられており、ボルト６が挿通されてレンチ（図時せず）にて締め付けられ、分割環状弾性体４ａ、４ｂ、４ｃを圧縮変形させ、分割環状弾性体４ａ、４ｂ、４ｃの外周及び内周を膨出させ、埋設配管またはケーブル配管３をコンクリート壁貫通孔５内面に水密状態に固定することができる。
【００２６】  更に、マンホール又は縦坑のコンクリート壁１に形成されるコンクリート壁貫通孔５に埋設配管またはケーブル配管３を保持する分割環状弾性体４ａ、４ｂ、４ｃを挿通して押圧する際、該分割環状弾性体４ａ、４ｂ、４ｃの周縁部がコンクリート壁貫通孔５の内面に三次元状に変形して押圧されて水密状に保持される。
【００２７】  図５乃至図７に示すように、コンクリート壁１が図１のような曲面ではなく、平面の場合を示しているので、分割環状フランジ２及び分割環状弾性体４ａ、４ｂ、４ｃは、図示せるようにストレートである。
【００２８】  図６に示すように、分割環状フランジ２は図中点線で示す位置から実線で示す位置へボルト６の締め付けによって圧縮され、分割環状弾性体４ａ、４ｂ、４ｃの外周及び内周を膨出させ、埋設配管またはケーブル配管３をコンクリート壁貫通孔５内面に水密状態に固定することができる。
【００２９】  分割環状フランジ２の外径は、コンクリート壁貫通孔５内面の内径より大きいので、分割環状弾性体４ａ、４ｂ、４ｃがコンクリート壁貫通孔５内面から外れることがない。
【００３０】  また、図７に示すように、コンクリート壁内側に固定する分割環状フランジ２の外径はコンクリート壁貫通孔５内面より小さいので、分割環状弾性体４ａ、４ｂ、４ｃはボルト６の締め付けによってコンクリート壁貫通孔５に押しこまれる。
【００３１】  この状態では、分割環状弾性体４ａ、４ｂ、４ｃの外周及び内周を容易に膨出させることができ、埋設配管またはケーブル配管３をより確実にコンクリート壁貫通孔５内面に水密状態に固定することができる。
【００３２】  また、分割環状弾性体は施工場所に応じて、単数でも複数使用することも可能である。
【産業上の利用可能性】
【００３３】  以上説明したような本発明の埋設配管またはケーブル配管の止水固定装置または、電気防食手段を具備せる埋設配管またはケーブル配管の止水固定装置によれば、従来例では不可能であった既存配管やケーブル配管への止水固定装置の装着を、分割環状フランジ２と分割環状弾性体４ａ、４ｂ、４ｃとの組み合わせによって可能にし、電気防食機能の付設も可能な発明であって、分割環状フランジ２と分割環状弾性体を採用したので、分割環状フランジ２及び分割環状弾性体４ａ、４ｂ、４ｃの分割面をずらして既存の埋設配管又はケーブル配管に装着できるように構成したことに新規性を有し、更に三次元のシーリング材としての用途が得られているので、この基本技術を悦脱しない範囲での応用が可能であり、産業上の利用可能性の高いものである。
【符号の説明】
【００３４】  １  コンクリート壁
２  分割環状フランジ
２１  分割面
２２  ボルト挿通孔
３  埋設配管またはケーブル配管
４ａ  分割環状弾性体
４ｂ  分割環状弾性体
４ｃ  分割環状弾性体
４１  分割面
４２  ボルト挿通孔
５  コンクリート壁貫通孔
６  ボルト
７  犠牲陽極プレート
８  通電用ワッシャー
９  通電用リード線
１０  直流電源装置
１１  通電用リード線
１２  難溶性電極
１３  防食電流
１４  アンカーボルト
ＡＣ  商用電源
【図１】
2016099003.tif 000003
【図２】
2016099003.tif 000004
【図３】
2016099003.tif 000005
【図４】
2016099003.tif 000006
【図５】
2016099003.tif 000007
【図６】
2016099003.tif 000008
【図７】
2016099003.tif 000009